(57)【特許請求の範囲】
【請求項１】
第１の内容物を収容し、かつ上方に開口する開口部を備えた容器と、破断すると貫通孔が生じるように押圧により破断可能に形成された破断部、及びその破断部により囲繞される領域に立設されたシート破り手段を備えて、前記開口部に装着された閉鎖部と、
容器内の第１の内容物を外部に送り出す流路に結合されるとともに上下動により第１の内容物を吸引し、吐出することのできる機構とを備え、前記閉鎖部を覆うように前記容器の開口部に装着されてなる上下動可能な操作ヘッドと、
前記操作ヘッドに備えられ、内部に第２の内容物を収容し、前記操作ヘッドの上下動に追随して前記シート破り手段により破られることができるシートを装着するとともに、下降することにより前記破断部を破断する下端開口部を有する第２容器と、
を有することを特徴とするポンプ混合吐出装置。
【発明の詳細な説明】
【技術分野】
【０００１】
この発明は、ポンプ混合吐出装置に関し、さらに詳しくは、内部に収容されている液体を液状又Ｈ泡状に噴出させることができる操作ヘッドを使用時の初回に操作することにより、内部に充填された流体と第２成分とを簡単に混合することのできるポンプ混合吐出装置に関する。
【背景技術】
【０００２】
シャンプー、ハンドソープ及びシェービング剤等の流体を泡状で、霧状で、又は液状で吐出させることのできる各種のポンプ吐出装置が、種々の名称にて、例えば実用新案登録第２６０５７１４号、実用新案登録第２６０５４９５号、実用新案登録第２６０４４３３号等、及び実公平０６−４２７６０号、実公平０６−３９８０９号、実公平６−３４８５８号、実開平６−７０８５４号等にて提案されている。
【０００３】
これらポンプ吐出装置は、液体等の内容物を収容した容器本体と、この容器本体の上部に装着され、上下動させることにより内容物を外部に放出する操作ヘッドとを備えてなる構造を有する。
【０００４】
ポンプ吐出装置の一例として特許文献１には、例えば、「容器口部に冠着した蓋体に固定された同心の空気用シリンダと液用シリンダとから成る二重シリンダに、該二重シリンダ内をそれぞれ軸方向に上下動し且つスプリングの弾性により上方へ付勢されている大径の空気用ピストンと小径の液用ピストンとから成るピストン体を内設して空気室と液室とを形成させ、該空気室と該液室とを連通させる混合室を両室の上方に設けると共に該混合室と該両室とをそれぞれ連通させる空気通路及び液通路をそれぞれ空気用ピストン内及び液用ピストン内に設け、該混合室の下流側の泡通路を横断してシート状の多孔体を配設し、該液室下端には容器底部まで延びる吸液管を取付けると共に該液室内が負圧時に開口する第１逆止弁を設け、前記空気用ピストンには前記空気室が負圧時に開口して空気室外の空気を吸引する第２逆止弁を設けると共に外周面の下部に前記空気用シリンダの内面を上下に摺動する環状の摺動シール部を設け、該摺動シール部が摺動する前記空気用シリンダの摺動シリンダ部の上部に、容器のヘッドスペース部内へ空気を導入する空気孔を設け、前記ピストン体の上部を前記蓋体を貫通して上方に延出させると共に該ピストン体の上端には泡通路を有するノズル体を固着させた該ノズル体が前記スプリングの弾性に抗して蓋体に係合可能なポンプ式泡出し容器において、前記ピストン体の内部に形成される液通路内に、該ピストン体の上下動に伴って強制的に所定量上下動させられる棒状弁体を設け、しかも前記液室内には前記液通路内に密嵌入できる上部円筒部を有すると共に内面側で該棒状弁体と係合して該棒状弁体の上下動する量を制限する筒状係止体を設けることによって、該捧状弁体は、前記ピストン体が上限位置まで上昇している時には、その上部で前記液通路の前記混合室側出口を閉鎖すると共にその下部で前記筒状係止体と係合して上動を阻止され、また前記ノズル体が前記蓋体に係合し、前記ピストン体が下限位置まで下降している時には、前記液用ピストンの前記液通路を形成する部分に密嵌入した前記筒状係止体の上部円筒部内に密嵌入して下動を阻止されていると共に前記液通路を閉鎖し、さらに前記ピストン体が下降中には、前記液通路及び前記液通路の前記混合室側出口の閉鎖を解除する様になっており、また前記空気用ピストンの外周部には、前記摺動シール部の上方に所定間隔を置いて前記摺動シリンダ部の空気孔を閉鎖し得る大きさ及び形状の環状シール部を設けると共に前記摺動シール部を該空気孔を閉鎖し得る大きさ及び形状のものと成し、しかも前記所定間隔は、前記ピストン体が上限位置まで上昇している時には、前記空気用ピストン下部の前記摺動シール部が前記空気孔を閉鎖し、一方、前記ノズル体が蓋体に係合し、前記ピストン体が下限位置まで下降している時には、前記空気用ピストン上部の前記環状シール部が前記空気孔を閉鎖する様になる間隔であり、さらに前記空気用シリンダの前記摺動シリンダ部の上方部分には、前記ピストン体が上限位置と下限位置との間の少なくとも一定範囲の位置にある時に、前記空気用ピストン上部の前記環状シール部との間で空気が通過し得る間隙を形成する空気通路形成部が設けられていることを特徴とするポンプ式泡出し容器。」が提案されている（特許文献１参照）。
【０００５】
【特許文献１】実開平６−７０８５４号（請求項１、段落番号[００４３]、図１〜図３）
【０００６】
今までのこのようなポンプ吐出装置は、容器本体内に収容された内容物を単に泡状、霧状、又は液状で吐出する機能を有するという、共通する機能を有していた。
【０００７】
しかるに、近年においては、このようなポンプ吐出装置を最初に使用する直前に、複数の成分を混合して所望の調製を行い、このような調製が行われた内容物を吐出することのできるポンプ吐出装置が望まれている。
【発明の開示】
【発明が解決しようとする課題】
【０００８】
この発明は、このような従来の問題点を解消し、使用直前に内容物の調製を行うことのできる混合調製型の吐出ポンプすなわちポンプ混合吐出装置を提供することを、目的とする。
【課題を解決するための手段】
【０００９】
前記課題を解決するための手段は、
第１の内容物を収容し、かつ上方に開口する開口部を備えた容器と、破断すると貫通孔が生じるように押圧により破断可能に形成された破断部、及びその破断部により囲繞される領域に立設されたシート破り手段を備えて、前記開口部に装着された閉鎖部と、
容器内の第１の内容物を外部に送り出す流路に結合されるとともに上下動により第１の内容物を吸引し、吐出することのできる機構とを備え、前記閉鎖部を覆うように前記容器の開口部に装着されてなる上下動可能な操作ヘッドと、
前記操作ヘッドに備えられ、内部に第２の内容物を収容し、前記操作ヘッドの上下動に追随して前記シート破り手段により破られることができるシートを装着するとともに、下降することにより前記破断部を破断する下端開口部を有する第２容器と、
を有することを特徴とするポンプ混合吐出装置である。
【発明の効果】
【００１０】
この発明に係るポンプ混合吐出装置においては、容器内に第１の内容物が収容され、第２容器に第２の内容物が収容される。第１の内容物及び第２の内容物は、それらを混合することにより所期の性質、特性、形態を有する内容物例えば第１の内容物と第２の内容物との混合物、及び第１の内容物中の成分と第２の内容物中の成分とが反応して新生の反応生成物を含有する反応生成物、第１の内容物と第２の内容物とを混合することにより特定の色、味、香り、粘度等を有する新生の内容物等が形成されることができる限り、その性質、種類、内容等については制限がない。
【００１１】
この発明に係るポンプ混合吐出装置は、次のように作用する。操作ヘッドを下降させると、この操作ヘッドに追随して、又は連動して第２容器も下降する。第２容器の下端開口部にはシートが装着されているので、第２容器が下降することにより、前記シートがシート破り手段に向かって進行する。第２容器が下降していくとついには、前記シート破り手段により前記シートが破られる。第２容器がさらに下降していくと、第２容器の下端部が破断部を下方に押圧することとなり、第２容器の押圧力により破断部が破断する。破断部の破断により形成された貫通孔及び破られたシートから、第２容器の第２の内容物が容器内にある第１の内容物に落下する。落下した第２容器の第２の内容物と容器内にもとから存在する第１の内容物とは、自然拡散により混合し、またはこのポンプ混合吐出装置全体を振盪することにより混合される。混合により、単なる混合物又は反応生成物等が形成される。
【００１２】
混合後に、前記操作ヘッドを上下動させると、操作ヘッドから容器内に通じている流路を通って容器内で混合されて得られた内容物が、操作ヘッドから吐出される。操作ヘッドから吐出される内容物は、このポンプ混合吐出装置の構造によって又は内容物自体の性質によって、例えば霧状、液状、泡状、ペースト状等の形態となる。
【００１３】
この発明によると、操作ヘッドの上下動と言う簡単な操作により、容器内に収容されている第１の内容物と第２容器に収容されている第２の内容物とを混合することができ、したがって混合してから日持ちのしない内容物、混合してから所定時間内に使用することが望まれる内容物等を吐出することのできるポンプ混合吐出装置を、提供することができる。
【発明を実施するための最良の形態】
【００１４】
この発明に係るポンプ混合吐出装置は、容器と操作ヘッドと閉鎖部と第２容器とを備える。
【００１５】
＜容器＞
この容器は、上端に開口部を備え、内部に例えば液状、乳化状、又は微細な固形分を液体に分散してなる懸濁状を呈する第１の内容物を収容することのできる形状に形成されてなる。この容器の形状は、例えば上方に開口する開口部と中心軸に直交する断面形状が底面から開口部までが同じに形成されてなる筒体本体とその底部とを有してなる有底筒状体、底部とその底部の中心を通る中心軸線に直交する断面形状が底部から所定の高さまで同じであるように形成された筒体本体と、その筒体本体から先すぼまり状に断面形状が縮小していくように形成された肩部と、その肩部の上部に頸部に形成された、底面よりも小さな面積を以て開口する開口部とを有してなる有底筒状体等を挙げることができる。このような容器の形状は一例であって、スプレー容器、ノズル容器等々の名称で知られている容器の形状をそのままこの発明における容器の形状に採用することができる。この容器を形作る材質としては、合成樹脂、金属、ガラス、陶器等を挙げることができ、透明材質及び不透明材質にこだわらない。前記内容物としては、化粧用、医療用、又は工業用の各種液体、各種乳液、又は各種懸濁液等の流体を挙げることができる。
【００１６】
＜操作ヘッド＞
前記操作ヘッドは、前記容器の開口部に装着可能に、かつ上下動可能に形成される。この操作ヘッドは、前記容器内に収容されている内容物を外部に吐出するノズルを備えたノズル体と、前記容器内に収容されている内容物を前記ノズルに導入する流路とを備える。この操作ヘッドにおける流路は、前記容器の内容物を前記ノズルに導出することができる構成を採用する限り、各種の構成を取り得る。
【００１７】
この操作ヘッドを上下動可能にする機構は、例えば筒体の底部付近に一端が配置される流路を結合するノズル体を上下動させることにより、内容物を吸引し、ノズルから内容物を吐出することのできる機構であれば各種の機構を採用することができる。簡単な機構としては、ノズルに至る流路の途中に、ピストンとこのピストンを嵌合するシリンダーと、ノズルを下降させるとシリンダー内の内容物をシリンダーからノズルへと排出し、ノズルを上昇させると閉鎖する排出弁と、ノズルを下降させると閉鎖し、ノズルを上昇させるとシリンダー内に内容物を吸引する吸引弁とを備えてなるポンプ機構を挙げることができ、また、ノズルに至る流路の途中に、ピストンとこのピストンを嵌合するシリンダーと、ノズルを下降させるとシリンダー内の内容物をシリンダーからノズルへと排出し、ノズルを上昇させると閉鎖する排出弁と、ノズルを下降させると閉鎖し、ノズルを上昇させるとシリンダー内に内容物を吸引する吸引弁と、ノズルを下降させるとシリンダー内の内容物と空気とを混合して泡を形成する泡形成部とを備えてなる泡形成ポンプ機構等を挙げることができる。
【００１８】
＜第２容器＞
この操作ヘッドには第２容器が設けられる。第２容器は、操作ヘッドの上下動に追随して上下動することができるように、操作ヘッドの適宜の部署に設けられる。第２容器は、第２の内容物を収容する。この第２の内容物は、容器内に収容されている流体つまり第１の内容物と混合されて使用に適する内容物となり得る流体である。この第２の内容物は、溶液、乳化液及び懸濁液等の液体であっても、流動性を有する微少粉末及び顆粒物であっても、よく、第２容器から容器内に落下移動可能で流動性を有すればよい。第２容器は下方に開口部をする有底筒状の容器本体と、前記開口部にこれを閉鎖するように取り付けられたシートとを有する。このシートは、後述するシート破り手段により容易に破られることのできる材料、例えばアルミ箔等の金属箔、紙、プラスチックシート、これらを用いた複合材料等により形成されることができる。第２容器の内容積は、この第２容器に収容される第２の内容物の種類、筒体内の第１の内容物と混合することにより生成しようとする内容物の種類及び特性等に応じて適宜に決定される。
【００１９】
＜閉鎖部＞
前記閉鎖部は、前記容器の開口部を閉鎖するように、前記開口部に装着される。開口部を閉鎖すると称しても完全に開口部を閉塞することを意味するものではなく、前記操作ヘッドにおけるノズルにこの容器内の第１の内容物を流通させることができるように形成され、この容器を転倒させたときに前記容器内の内容物が容器外に流出乃至漏出しないように形成されている限り、閉鎖されていると言える。この閉鎖部は、シート破り手段と破断部とを有する。前記シート破り手段は、操作ヘッドの下降と共に下降してくる第２容器におけるシートを突き刺し、又は切り裂きするなどして前記シートを破ることができるように形成され、例えば、前記第２容器における開口部を閉鎖するシートに対して鋭利な刃を有する錐状、三角錘状、四角錐状、剣先状等の刃先を有する穿孔体に形成される。このシート破り手段は、第２容器の開口部に張設されたシートをできるだけ大きく破ることができるように、形成されているのが好ましい。前記破断部は、押圧力により破断して閉鎖部に貫通孔を形成することのできる部位である。この破断部としては、閉鎖部に円形に形成された、又は波線で円形に形成された薄肉部を挙げることができる。このような破断部により囲繞される領域であって前記第２容器におけるシートに臨む位置に、前記シート破り手段が設けられる。なお、この閉鎖部には操作ヘッドにおける流路が貫通して、その流路の下端が容器の内容物に少なくとも接する部位、例えば底部分にまで達している。
【００２０】
＜作用＞
以上構成のポンプ混合吐出装置は、以下のように作用する。初期状態として、このポンプ混合吐出装置は、以下のようになっている。
すなわち、このポンプ混合吐出装置は、操作ヘッドを上にした立設状態にある。以下においては、ポンプ混合吐出装置が立設状態にあるとして、説明をする。容器内に第１の内容物が収容され、容器の上方に位置する開口部には閉鎖部が装着され、また、前記開口部には操作ヘッドが装着され、操作ヘッドにおける流路は前記閉鎖部を貫通してその一端が容器の底部付近に至り、操作ヘッドには開口部が下方に向くように、かつ前記閉鎖部に設けられた破断部で囲繞される領域に設けられたシート破り手段に前記開口部が臨むように、第２容器が装備され、この第２容器内には第２の流体が収容される。
【００２１】
操作ヘッドを押すことにより操作ヘッドを下降させる。操作ヘッドが下降すると、第２容器も下降する。第２容器が下降すると、その開口部が下降してシート破り手段に接近する。第２容器がなおも下降すると、シート破り手段によりシートが破られ、第２容器の押圧力により破断部が破断して閉鎖部に貫通孔が形成される。破られたシートの破れ穴から第２容器内の第２の内容物が前記破れ穴及び貫通孔を通過して、容器内の第１の内容物に落下する。第１の内容物に落下した第２の内容物は、自然拡散により第１の内容物と混合する。迅速な混合を所望する場合には、ポンプ混合吐出装置全体を強制的に振盪すると第１の内容物と第２の内容物とが速やかに混合する。
【実施例】
【００２２】
以下、この発明の一例であるポンプ混合吐出装置を図面に基づいて説明する。
【００２３】
図１は、この発明に係るポンプ混合吐出装置の部分断面図である。なお、図１において、左半分が操作ヘッドを押圧する前の状態を示し、右半分が操作ヘッドを押圧した後の状態を示している。
【００２４】
このポンプ混合吐出装置１は、上端に開口部を有する容器２と、容器２の前記開口部に装着される閉鎖部３と、前記容器２の前記開口部に装着される操作ヘッド４とを有する。なお、５で示すのは、容器２に装着された操作ヘッド４を覆蓋するオーバーキャップである。
【００２５】
＜容器＞
容器２は、例えば透明樹脂製であり、円筒形状を有している。この容器２の中に、第１の内容物が収容されている。容器２における円筒状周壁の外側面には、雄ネジ６が形成される。この容器２の開口部には開口蓋部７が装着される。開口蓋部７は、中心部に貫通孔８を有するキャップ頂部９とそのキャップ頂部９の縁辺から円筒状に形成された周側部１０とを有する。この周側部１０の内周面には、前記雄ネジ６に螺合可能な雌ネジ１１が設けられる。前記雄ネジ６と雌ネジ１１とを螺合させることにより、容器２の開口部に開口蓋部７が脱落不能に装着される。
【００２６】
キャップ頂部９の端縁部から下降する周側部の直径を開口蓋部７の下端面から立ち上がる周側部の直径よりも小さくすることによりこの開口蓋部７の周側部１０の途中に形成される水平環状の段差部に、前記オーバーキャップ５の下端部を当接すること、及び開口蓋部７のキャップ頂部９の縁辺から前記段差部にまで至る周側部に前記オーバーキャップ５の内周面が密接対応することとによって、この開口蓋部７にオーバーキャップ５が装着される。
【００２７】
＜閉鎖部＞
前記閉鎖部３は、円筒状に形成された空気用シリンダ１２と、前記空気用シリンダ１２の内径よりも小さな内径を有する液体用シリンダ１３とを有する。この空気用シリンダ１２の底部は、前記円筒状の空気用シリンダ１２の下端部と前記液体用シリンダ１３の上端から下降する環状の筒状体１４の下端部とで囲繞される環状底部１５となっている。
【００２８】
この環状底部１５にはさらに円筒状に下方に突出する円筒状突出部１６が形成される。この円筒状突出部１６の底部は円形の底面を有する。この円筒状突出部１６の底部であって、容器２の内部に面する表面には、環状の溝である破断部１７が形成される。この円筒状突出部１６の底部における、前記筒体２の内部に面する表面とは反対側の表面であって、前記破断部１７で囲繞される領域に、シート破り手段の一例であるところの、円柱体をその軸線に対して斜めに切ってなる斜行面を上にして立設形成されるシート破り刃１８が立設形成されている。なお、１９で示されるのは、前記円筒状突出部１６の筒状内壁面に装着されたところの、筒状のガイドである。
【００２９】
空気用シリンダ１２の開口端縁近傍の内周面には、後述する空気用シリンダ摺動シール部２０の上昇を規制することができるように、環状係止部２１が形成されてなる。環状係止部２１は、空気用シリンダ１２の中心軸方向に向かって突出して環状に形成されてなる。また、空気用シリンダ１２の開口端縁側壁面には、空気が流通する貫通孔２２が形成されている。
【００３０】
前記環状の筒状体１４の上端と液体用シリンダ１３の上端とが一体に結合され、前記筒状体１４の上端と液体用シリンダ１３の上端とが折り返すように連続している。この筒状体１４の上端と液体用シリンダ１３の上端とには、これらを嵌め込むようにストッパ２３が装着される。
【００３１】
なお、２３で示すのは、前記空気用シリンダ１２と前記筒状体１４との間に装着された円筒状のガイド筒である。このガイド筒２３の空気用シリンダ１２側にある下端部は、前記円筒状突出部１６に装着されたガイド１９の脱落を防止する。
【００３２】
前記液体用シリンダ１３は、前記円筒状突出部１６の底部よりもさらに下方に長く延在し、かつ略円筒状に形成される。
【００３３】
前記液体用シリンダ１３は、その下端部に縮径する開口部２４が開口する。その開口部２４の内部には、吸引弁ボール２５が収容される。
【００３４】
このように、この閉鎖部３は、筒状に形成された空気用シリンダ１２の上端縁に外側にわずかに広がるように形成されたフランジ２６が容器２の開口端部と開口蓋部７とで挟み込まれることにより容器２の開口部に装着され、容器２の開口部が、前記空気用シリンダ１２、環状底部１５、円筒状突出部１６及び液体用シリンダ１３により、閉鎖される。
【００３５】
＜操作ヘッド＞
前記操作ヘッド４は、前記容器２の中心軸線に対して略斜め上方に向けて開口してそこから泡状物を吐出するノズル２７、及びこのノズル２７を支持するように円筒状に形成されたノズル本体２８を備えたノズルヘッド２９と、外側ステム３０と、内側ステム３１とを有する。
【００３６】
前記ノズル本体２８は、外部筒体３２と内部筒体３３とを備える。外部筒体３２の下端部が貫通孔８に挿入される。内部筒体３３は外部筒体３２の内部に筒状に形成される。前記外部筒体３２の下端部に、エアーパケット３４が装着される。
【００３７】
このエアーパケット３４は、中央に開口する中央開口部を有する筒状装着部３５と、この筒状装着部３５の外周に設けた環状の装着溝３６と、この装着溝３６から外側に広がる円盤状の平面部３７と、この平面部３７の端縁部から下方に向けて延在する筒状部３８とを有して形成される。前記平面部３７の直径は、前記貫通孔８の直径よりも大きく設計されている。したがって、操作ヘッド４を組み立てた場合に、このエアーパケット３４が前記貫通孔８から抜け出ることがなく、また、この操作ヘッド４を上下動させた場合に、前記平面部３７がキャップ頂部９の内部天井面に当接することにより、操作ヘッド４の上昇が規制されるようになっている。筒状部３８の外周面には、空気用シリンダ摺動シール部２０が設けられる。この空気用シリンダ摺動シール部２０は、前記筒状部３８の外周面を囲繞一巡する環状に形成され、外周面が凹状に形成されている。この空気用シリンダー摺動シール部２０は、弁作用を有していて、操作ヘッド４を下降させると凹状に形成された外周面が空気用シリンダ１２の内周面に密着して空気用シリンダ１２の内周面と空気用シリンダ摺動シール部２０とを気密にシールする。
【００３８】
前記外側ステム３０は、一端つまり図１においては上端が前記ノズル本体２８における内部筒体３３に挿入固定される筒状体であり、その筒状体の中間部に、環状に半径方向に突出するように形成された環状鍔部３９を有する。この外側ステム３０は、内部筒体３３の下端開口部に筒状装着部３５を挿入すると共に前記内部筒体３３の下端部を装着溝３６に挿入するようにして、この内部筒体３３の開口部にエアーパケット３４を挿入し、次いで前記内部筒体３３の下端開口部に外側ステム３０の上端部を挿入し、内部筒体３３の内周面に設けられた環状凹部４０に外側ステム３０の上端部外周に設けられた環状凸部４１を嵌め合うことにより、エアーパケット３４を内部筒体３３の下端部と環状鍔部３９で挟み込むようにして、ノズル本体２８とエアーパケット３４と外側ステム３０とを一体に結合する。
【００３９】
この外側ステム３０の上端近傍の外周面には、通気孔４２が穿設される。この通気孔４２が穿設されている位置よりもわずかに下方となる位置であって、その外側ステム３０の内周面に、下側に向かう傾斜面を有する弁座４３が設けられ、この弁座４３に吐出弁ボール４４が上下動可能に装填される。
【００４０】
この外側ステム３０の内部であって、前記吐出弁ボール４４の装填位置よりも上方には、液体と空気とを混合して形成される泡をさらにきめ細かで均一な泡に形成する泡調製部４８が装填されている。
【００４１】
この外側ステム３０の下端部は、ストッパ２３により形成される円形の開口部に挿入される。
【００４２】
この外側ステム３０の下端部の開口部からその内部には、円筒状の内側ステム３１の下端部が一部露出する程度に、この内側ステム３１が挿入される。外側ステム３０の下端部外周面には、液体用シリンダ摺動シール部４５が装着される。この液体用シリンダ摺動シール部４５は、内側ステム３１の下端外周面を囲繞一巡する環状に形成され、外周面が凹状に形成されている。この液体用シリンダ摺動シール部４５は、弁作用を有していて、操作ヘッド４を下降させると凹状に形成された外周面が液体用シリンダ１３の内周面に密着して液体用シリンダ１３の内周面と液体用シリンダ摺動シール部４５とを気密にシールする。
【００４３】
前記液体用シリンダ１３の内部であって、この外側ステム３０の下端部と液体用シリンダ１３の下部に装填されている吸引弁ボール２５との間には、付勢部材例えばコイルスプリング４６が取り付けられている。
【００４４】
このような構造を有する操作ヘッド４においては、液体用シリンダ１３の内壁面、吸引弁ボール２５、液体用シリンダ摺動シール部４５、内側ステム３１の内壁面及び吐出弁ボール４４によりポンプ室が形成される。
【００４５】
＜第２容器＞
前記第２容器４７は、上端を閉鎖し、下端部を斜めに切って開口する開口部を有する円筒状をなす。この第２容器４７は、その下端部の下方にシート破り刃１８が位置するように、前記外側ステム３０の中間部外周面に取り付けられた保持部材４９に懸垂状に保持される。
【００４６】
この第２容器４７には、第２の内容物が充填され、前記斜めに切られた開口部がシートたとえばアルミ箔５０が張設される。
【００４７】
＜作用＞
このポンプ混合吐出装置１は、以下のように作用する。
【００４８】
操作ヘッド４を押し下げると、外側ステム３０が下降し、下降する外側ステム３０の環状鍔部３９に押されて保持部材４９に懸垂保持された第２容器４７が、シート破り刃１８に向かって下降する。操作ヘッド４の下降が継続すると、第２容器４７の下端開口部に張設されたアルミ箔５０がシート破り刃１８により突き刺される。操作ヘッド４の下降がさらに継続すると、第２容器４７の下端開口部が破断部１７に押圧力を加え、第２容器４７の下降の継続によりついには前記破断部１７が破断して円形の貫通孔が円筒状突出部１６の底面に形成される。第２容器４７の下降がさらに継続すると第２容器４７の下端部が前記貫通孔を貫通して容器２の内部に突出する。
【００４９】
第２容器４７の下端開口部がシート破り刃１８により破られて開口しているので、第２容器４７内の第２の内容物が容器２内に収容されている流体に混合されて、使用に供される内容物が調製される。
【００５０】
容器２内で第２の内容物と流体との混合を円滑に行うために、必要におうじてこのポンプ混合吐出装置１を振盪する。
【００５１】
操作ヘッド４を押し下げ続けているときには、コイルスプリング４６が吸引ボール２５を開口部２４における弁座に押しつけているので、この開口部２４は閉鎖状態になっている。
【００５２】
次いで、操作ヘッド４を押圧している力を除く。そうすると、コイルスプリング４６の付勢力により、操作ヘッド４が上昇する。ポンプ室内が負圧になるので吐出ボール４４が弁座４３に密着し、吸引弁ボール２５が遊動するので、ポンプ室内に、前記内容物が開口部２４から流入する。操作ヘッド４が上昇しきると、ポンプ室内に内容物が充満する。
【００５３】
再度に操作ヘッド４を押し下げると、コイルスプリング４６の付勢力により吸引弁ボールが弁座に押しつけられるので開口部２４が閉鎖状態になる一方、ポンプ室内の容積が縮小するからポンプ室内の内容物が吐出弁ボール４４を押し上げて泡調製部４８へと浸入する。操作ヘッド４の押し下げにより、空気用シリンダ１２の内周面、エアーパケット３４の内側面及び外側ステム３０の外周面により囲繞される空間の容積が縮小するので、この空間内の空気が通気孔４２を通じて泡調製部４８に噴出することになる。
【００５４】
泡調製部４８では内容物と空気とが混合されてさらに細かくて均一な泡が調製されて、ノズル２７から泡が噴出する。
【００５５】
このように、このポンプ吐出混合装置１によると、使用直前に、操作ヘッド４の押圧操作により第２容器４７に収容されている第２の内容物と容器２内に収容されている流体とが混合されて、使用に供される内容物の調製が簡単に行われることになる。
【００５６】
したがって、このポンプ吐出混合装置１を用いると、出荷時から使用時までの時間が長いことによって品質及び特性等が変化乃至劣化するような内容物を使用直前に、調製することができる。したがってこの発明によると、品質及び特性等の変化乃至劣化することがなく、新鮮な内容物を吐出することのできる装置としてこのポンプ吐出混合装置が提供される。
【図面の簡単な説明】
【００５７】
【図１】図１は、この発明に係るポンプ混合吐出装置の一例を示す断面説明図である。
【符号の説明】
【００５８】
１        ポンプ混合吐出装置
２        容器
３        閉鎖部
４        操作ヘッド
５        オーバーキャップ
６        雄ネジ
７        開口蓋部
８        貫通孔
９        キャップ頂部
１０      周側部
１１      雌ネジ
１２      空気用シリンダ
１３      液体用シリンダ
１４      筒状体
１５      環状底部
１６      円筒状突出部
１７      破断部
１８      シート破り刃
１９      ガイド
２０      空気用シリンダ摺動シール部
２１      環状係止部
２２      貫通孔
２３      ストッパ
２４      開口部
２５      吸引弁ボール
２６      フランジ
２７      ノズル
２８      ノズル本体
２９      ノズルヘッド
３０      外側ステム
３１      内側ステム
３２      外部筒体
３３      内部筒体
３４      エアーパケット
３５      筒状装着部
３６      装着溝
３７      平面部
３８      筒状部
３９      環状鍔部
４０      環状凹部
４１      環状凸部
４２      通気孔
４３      弁座
４４      吐出弁ボール
４５      液体用シリンダ摺動シール部
４６      コイルスプリング
４７      第２容器
４８      泡調製部
４９      保持部材
５０      アルミ箔
【図１】
0004781025.tif 000002